(57)【特許請求の範囲】
【請求項１】
フラット配線材からなる接続用電線が予め接続された回路基板と、この回路基板を収納するケーシングとを有し、前記接続用電線を所定の経路でケーシングに固定する電気モジュールにおいて、
前記ケーシングにおける接続用電線の配索経路上にフックが設けられ、前記経路に沿ってケーシングを配索するとともにこの接続用電線の途中に形成された開口部を介して該接続用電線を前記フックに係止することにより前記ケーシングに対して接続用電線を固定するように構成され、前記接続用電線はシールド層を有し、前記ケーシングは接地されかつ前記フックとケーシングとが互いに導通しており、前記接続用電線をケーシングに固定すると、前記フックと接続用電線の前記シールド層とが接触するように構成されていることを特徴とする電気モジュール。
【請求項２】
請求項１記載の電気モジュールにおいて、
前記接続用電線における前記開口部の近傍にシールド層を外部露出させる部分が設けられ、接続用電線を前記ケーシングに固定すると、前記フックがこのシールド層の露出部分に接触するように構成されていることを特徴とする電気モジュール。
【請求項３】
請求項１又は２に記載の電気モジュールにおいて、
前記接続用電線は、その先端部分が複数の分割片に分割されて各分割片に相手側モジュールに接続するためのコネクタが装着され、かつこの分割片よりも後側の部分に各分割片に対応する部を電線幅方向に隔てるスペースが設けられるものであって、前記開口部がこのスペースに設けられていることを特徴とする電気モジュール。
【発明の詳細な説明】
【０００１】
【発明の属する技術分野】
本発明は、車載用オーディオ機器等の電気モジュールにおいて、特にケーシング内に収納された回路基板にフラット配線材からなる接続用電線が予め接続されている電気モジュールに関するものである。
【０００２】
【従来の技術】
従来から、例えば自動車のインストゥルメントパネルへのオーディオ機器等の組付け構造として、ＣＤプレーヤーやＭＤ（ミニディスク）プレーヤー等（電気モジュール）を上下に並べて配設し、各プレーヤーの回路基板同士をフラットケーブル等のフラット配線材からなる接続用電線で互いに接続することは一般に行われている。
【０００３】
この場合、例えば、先端にコネクタを装着した接続用電線を予めプレーヤーの回路基板にはんだ付けして各プレーヤーに設けておき、プレーヤーをインストゥルメントパネルに組付ける際に、該接続用電線のコネクタを隣設されるプレーヤーの相手側コネクタに嵌合させることにより、上下のプレーヤー同士を接続用電線を介して電気的に接続することが行われている。
【０００４】
【発明が解決しようとする課題】
ところで、上記のような各プレーヤーでは、インストゥルメントパネルへの組付けに際して、隣設されるプレーヤー同士を速やかに接続できるように、各プレーヤーの接続用電線を予め所定の経路でケーシングに配索、固定してコネクタを特定位置に配置しておくことが行われる。
【０００５】
このような接続用電線の配索は、従来、接続用電線が偏平なフラット配線材であることを利用し、両面テープにより接続用電線をケーシングに貼り付け固定するのが一般であった。ところが、このような両面テープによる固定方法では、テープを切り貼りする必要があり、またテープから台紙を剥離するという面倒な作業を伴うため組立性が悪いという問題があった。
【０００６】
本発明は、上記課題に鑑みてなされたものであって、その目的は、電気モジュールの組立性を向上させることにある。
【０００７】
【課題を解決するための手段】
上記課題を解決するために、本発明は、フラット配線材からなる接続用電線が予め接続された回路基板と、この回路基板を収納するケーシングとを有し、前記接続用電線を所定の経路でケーシングに固定する電気モジュールにおいて、前記ケーシングにおける接続用電線の配索経路上にフックが設けられ、前記経路に沿ってケーシングを配索するとともにこの接続用電線の途中に形成された開口部を介して該接続用電線を前記フックに係止することにより前記ケーシングに対して接続用電線を固定するように構成され、前記接続用電線はシールド層を有し、前記ケーシングは接地されかつ前記フックとケーシングとが互いに導通しており、前記接続用電線をケーシングに固定すると、前記フックと接続用電線の前記シールド層とが接触して導通するように構成されているものである。
【０００８】
この構成によれば、電気モジュールの組立時には、所定の経路に沿って接続用電線を配索しつつフックに係止するだけで、接続用電線をケーシングに固定することができる。そのため、従来のような面倒なテープの切り貼り等の作業が不要となり、電気モジュールの組立性が向上する。また、接続用電線のシールド層がフック及びケーシングを介して接地されることとなるため、シールド層を接地するためのドレイン線が接続用電線に不要となり、接続用電線の低廉化等に貢献し得るようになる。
【０００９】
この場合、接続用電線がシールド層を有し、かつケーシングを接地（アース）させるように電気モジュールが構成される場合には、前記フックとケーシングとが互いに導通するように設けておき、接続用電線をケーシングに固定すると、フックと接続用電線のシールド層とが接触して導通するように構成するのが好ましい。
【００１０】
この構成によれば、接続用電線のシールド層がフック及びケーシングを介して接地されることとなる。そのため、シールド層を接地するためのドレイン線が接続用電線に不要となり、接続用電線の低廉化等に貢献し得るようになる。
【００１１】
フックとシールド層とを接触させる具体的な構成としては、接続用電線における前記開口部の近傍にシールド層を外部露出させる部分を設け、接続用電線をケーシングに固定すると、前記フックがこのシールド層の露出部分に接触するように構成すればよい。勿論、前記開口部内にシールド層が露出していれば、該開口部にフックを圧入するだけでもフックとシールド層とを接触させることは可能であるが、上記のような構成によれば、より確実にフックとシールド層とを接触させることが可能となる。
【００１２】
なお、接続用電線の先端部分が複数の分割片に分割されて各分割片に相手側モジュールに接続するためのコネクタが装着され、かつこの分割片よりも後側の部分に、各分割片に対応する部を電線幅方向に隔てるスペース（すなわち、デッドスペース）が設けられるような接続用電線では、このスペースを利用して前記開口部を設けるようにすれば、接続用電線を合理的な構成でケーシングに固定することができる。
【００１３】
【発明の実施の形態】
本発明の実施の形態について図面を用いて説明する。
【００１４】
図１は、本発明が適用される車載用オーディオユニットを概略的に示している。この図において、符号１０は前後に開口を有した筐体で、この筐体１０の内部に該ユニットを統括的に制御するためのメイン基板１２、ＣＤプレーヤー１４、ＭＤ(ミニディスク)プレーヤー１６及びＣＳ（カセット）プレーヤー１８が上から順に並べられて相互に接近した状態で収納、固定されている。
【００１５】
各プレーヤー１４，１６，１８（電気モジュール）は、それぞれメディアの挿入口１４ａ，１６ａ，１８ａを有し、これら挿入口１４ａ，１６ａ，１８ａが筐体１０の正面側の開口部１０ａに臨むように筐体１０に収納されている。そして、この筐体１０がその背面側からインストゥルメントパネル（以下、インパネと略す）内に組付けられることにより、各プレーヤー１４，１６，１８の挿入口１４ａ，１６ａ，１８ａが車室側に臨む状態で車内に組付けられ、これにより車室側からのメディアの挿入および取出しが行えるようになっている。なお、筐体１０の正面側には、図示を省略するが、各プレーヤー１４，１６，１８を操作するための操作部を備えたパネル（エスカッションパネル）が組付けられる。
【００１６】
各プレーヤー１４，１６，１８には、夫々電気接続用のフラット配線材１５，１７，１９（当実施形態ではフラットケーブル；以下、ケーブル１５，１７，１９と略す；接続用電線）とコネクタＣ１４，Ｃ１６，Ｃ１８とが設けられており、上述のようにメイン基板１２及びプレーヤー１４，１６，１８が上下に並べて収納され、さらに各プレーヤー１４，１６，１８のケーブル１５，１７，１９が上側に隣り合うメイン基板１２又は各プレーヤー１４等のコネクタＣ１２，Ｃ１４，Ｃ１６に夫々接続されることにより、メイン基板１２に対して他のプレーヤー１４，１６，１８が連鎖状に電気的に接続されるようになっている。
【００１７】
プレーヤー１４，１６，１８の各コネクタＣ１４，Ｃ１６，Ｃ１８及びケーブル１５，１７，１９はいずれも同一の構成を有しており、プレーヤー１４，１６，１８の順番を入れ替えたり、あるいは何れかのプレーヤーを省略した場合でも相互に接続可能に構成されている。以下、ＣＤプレーヤー１４を例にこれらの構成について説明する。
【００１８】
図２，図３及び図４（ａ）に示すように、ＣＤプレーヤー１４は、その筐体１４０（図４（ａ）に示す）の内部に回路基板Ｐを有しており、この回路基板Ｐの下面に前記コネクタＣ１４を備えている。コネクタＣ１４は、基板用コネクタであって、実装されることにより回路基板Ｐに固定され、筐体１４０に形成された開口部１４ｂを介してＣＤプレーヤー１４の下側に露出している。
【００１９】
コネクタＣ１４は、その前面側（図４（ａ）では左側）にＭＤプレーヤー１６の前記ケーブル１７を接続する部分が構成される一方、後面側には当該ＣＤプレーヤー１４の前記ケーブル１５が差込まれた状態で固定されている。
【００２０】
詳細に説明すると、コネクタＣ１４はＣＤプレーヤー１４の幅方向（図４（ａ）では紙面に直交する方向；以下、幅方向という）に細長の雌形のハウジング２０を有しており、このハウジング２０には、図６に示すように２つの接続部２１Ａ，２１Ｂが幅方向（同図では上下方向）に区画形成されている。
【００２１】
各接続部２１Ａ，２１Ｂには、夫々複数の端子収納室２２が幅方向に並設されており、各端子収納室２２内に端子２４（図４（ａ）参照；図６では図示省略）が収納されている。各端子２４は、図４（ａ）に示すように、端子収納室２２の底部に沿って前後方向に延びる底部２４ｄと、この底部２４ｄの中央部分から前後両側に向って延びる上下に撓み変位可能な接続用撓み片２４ａ，２４ｂと、両接続用撓み片２４ａ，２４ｂの間から上部後方に向って延びる脚部２４ｃとを有しており、脚部２４ｃが回路基板Ｐ上のランド等（図示省略）にはんだ付けされることによって各端子２４が基板上の回路に電気的に接続されている。
【００２２】
ハウジング２０の前面側には、各接続部２１Ａ，２１Ｂに対応するケーブル（ＭＤプレーヤー１６のケーブル１７）の差込口２６Ａ，２６Ｂが夫々独立して設けられており、ケーブル１７の接続時には、これら差込口２６Ａ，２６Ｂからケーブル１７の後記コネクタＣ２２が夫々ハウジング２０内に差込まれることにより、ケーブル１７の各導体が端子２４の前面側の接続用撓み片２４ａに接触するように構成されている。
【００２３】
なお、各差込口２６Ａ，２６Ｂの周囲には筒型のフード２７が形成されており、ケーブル１７の接続時には、このフード２７内にケーブル１７のコネクタＣ２２を嵌合させるようになっている。また、各差込口２６Ａ，２６Ｂの幅方向両端には、図６に示すように、ケーブル１７のコネクタＣ２２を案内するための案内溝２８が形成されている。
【００２４】
一方、ハウジング２０の後面側には、両接続部２１Ａ，２１Ｂに共通する幅方向に細長の差込口３０が設けられるとともに、この差込口３０にスライダ３２が挿脱可能に支持されている。
【００２５】
スライダ３２は、図３に示すように、ハウジング２０の幅方向に延びる細長の部材で、その長手方向に延びる舌片３４を有するとともに、その両端には固定用のフック３６を備えている。スライダ３２はケーブル１５に重ねた状態で該ケーブル１５と共に差込口３０からハウジング２０内に差込まれ、前記フック３６をハウジング２０の側壁に形成された突起３８に係止することによりハウジング２０に挿着されるように構成されている。これによってケーブル１５をコネクタＣ１４に差込んだ状態で固定するようになっている。なお、ケーブル１５の固定方法については後に詳述する。
【００２６】
コネクタＣ１４のハウジング２０内部には、さらに図６に示すように各差込口２６Ａ，２６Ｂの近傍であって、各接続部２１Ａ，２１Ｂの両外側に、幅方向に撓み変形可能な一対の係止片４０が夫々設けられている。これらの係止片４０は、夫々先端部分（図６では左側端部）にフック４０ａを備えており、各差込口２６Ａ，２６Ｂからケーブル１７の後記コネクタＣ２２がハウジング２０内に差込まれると、該コネクタＣ２２の後記係止部６０ａに係合するように構成されている。
【００２７】
ケーブル１５は、図７〜図１０に示すように、幅方向に所定間隔で導体２を備えているとともに、これら導体２を包囲するシールド層３（図１０参照）を備えた所謂シールド電線（シールドフラットケーブル）である。
【００２８】
ケーブル１５は、同図に示すように、一方側の端部（図７の左側端部）の中央部分（幅方向中央部分）が切り欠かれることにより該一方側の端部が分割片４４Ａ，４４Ｂに分割された二股構造とされている。ケーブル１５の端末（すなわち分割片４４Ａ，４４Ｂの端末及びこれらと反対側の端末）は処理されて各導体２が露出しているとともに、その端末部分の裏面にはケーブル端部の撓みを規制する補強板４，６が夫々積層固定されている。分割片４４Ａ，４４Ｂについては、さらに導体２の露出部分よりも後側（図８では右側）の部分に位置決め板８が補強板４に積層固定されている。
【００２９】
ケーブル１５は、前記分割片４４Ａ，４４Ｂと反対側の端末がコネクタＣ１４の後面側の差込口３０からハウジング２０に差込まれた状態で該コネクタＣ１４に接続固定されている。具体的には、図４（ａ）に示すようにケーブル１５の端末が後面側の差込口３０からハウジング２０内に遊嵌状態で差込まれた後、図４（ｂ）に示すように、スライダ３２が差込口３０からハウジング２０内に差込まれ、これによりスライダ３２の舌片３４によりケーブル１５ａの端末が押し上げられて、ケーブル１５の導体２が各接続部２１Ａ，２１Ｂに収納された端子２４の接続用撓み片２４ｂに接触した状態で固定されている。そして、この端子２４との接触により、ケーブル１５の各導体２が端子２４を介して回路基板Ｐの回路に接続されている。なお、ケーブル１５の前記補強板６の幅方向両側には、図７に示すように仮係止用の突起６ａが形成されており、ケーブル１５の端末を差込口３０からハウジング２０内に遊嵌状態で差込む際には（図４（ａ）に示す状態）、この突起６ａをハウジング内部の側壁に形成された凹部３７に係合させることにより（図６参照）、スライダ３２を差込むまでの間、ケーブル１５をハウジング２０に対して仮係止しておくことができるように構成されている。
【００３０】
なお、当実施形態のケーブル１５では、上記の通り分割片４４Ａ，４４Ｂを設けるべく一端側の中央部分が切り欠かれており、そのため、ケーブル幅方向中央には、分割片４４Ａ，４４Ｂに対応する部分を同幅方向に隔てるデッドスペースが長手方向に亘って形成されている。従って、ケーブル１５のコネクタＣ１４への固定側の端末（つまり分割片４４Ａ，４４Ｂと反対側の端末）についても、図７に示すように、デッドスペースに対応する導体２は設けられていない。
【００３１】
一方、ケーブル１５の各分割片４４Ａ，４４Ｂの端末には、図２及び図３に示すようにコネクタＣ２２が夫々装着されている。なお、図２及び図３では、ケーブル１７にコネクタＣ２２が装着されているが、上述したようにケーブル１５，１７の構成は共通しているため、以下のケーブル１５の説明については、便宜上必要に応じてこれらの図を使用することにする。
【００３２】
コネクタＣ２２は、図３及び図１２（ａ）に示すように、ハウジング５０ａとホルダー５０ｂとから構成されており、ホルダー５０ｂを分割片４４Ａ（４４Ｂ）に重ねた状態で、これをハウジング５０ａに挿着することにより、ケーブル１５の分割片４４Ａ（４４Ｂ）の末端に装着されるように構成されている。
【００３３】
具体的に説明すると、ハウジング５０ａは、上記ホルダー５０ｂ等を差込むための前後方向（図１２（ａ）では左右方向）に貫通する幅方向に細長の差込孔５１を具備した筒状の胴部５２を有している。この胴部５２には、その後端（図１２（ａ）では左端）であってホルダー５０ｂの差込口５１ａの上部に薄板状のロック片５４が設けられている。このロック片５４は、前記差込口５１ａを開放する開放位置（図１２（ａ）に示す位置）と前記差込孔５１を閉塞する閉塞位置（収納位置；図１２（ｂ））とに亘ってその基端部分を支点として上下方向に揺動（折り曲げ）可能に設けられている。
【００３４】
また、胴部５２の幅方向両端には、一対の脚部５６が設けられており、ロック片５４を前記ロック位置に折畳むと、該脚部５６に夫々形成されたフック５８がロック片５４に係合して該ロック片５４を閉塞位置にロックするように構成されている。
【００３５】
一方、ホルダー５０ｂは、図１３に示すように平坦な合せ面６０を上部に有した板状の部材で、該合せ面６０を介して分割片４４Ａ（４４Ｂ）の裏面（補強板４）に重ね合せるようになっている。合せ面６０の後方部分（図１２（ａ）では左方部分）には、位置決め用の凹部６２が形成されており、分割片４４Ａ（４４Ｂ）の位置決め板８をこの凹部６２に嵌め合せることにより分割片４４Ａ（４４Ｂ）とホルダー５０ｂとのズレを規制するように構成されている。なお、ホルダー５０ｂの先端（図１２（ａ）では右端）には、接続時の干渉による導体２の捲れ等からケーブル１５を保護する干渉防止用のリブ６４が幅方向に亘って形成されている。
【００３６】
コネクタＣ２２の分割片４４Ａ（４４Ｂ）への装着は、図１２（ａ）に示すように前記合せ面６０を介して分割片４４Ａ（４４Ｂ）の裏面にホルダー５０ｂを重ね合せ、この状態で分割片４４Ａ（４４Ｂ）をホルダー５０ｂと共にその先端側から（すなわちホルダー５０ｂのリブ６４側から）ハウジング５０ａの前記差込孔５１に挿入する。そして、ハウジング５０ａの前記差込口５１ａを塞ぐようにロック片５４を折り曲げ、さらにロック片５４を前記両フック５８の間に押し込んでロックする。このようにして分割片４４Ａ（４４Ｂ）に対して夫々コネクタＣ２２を挿着する。
【００３７】
このように分割片４４Ａ（４４Ｂ）にコネクタＣ２２が挿着された状態では、図１２（ｂ）に示すように分割片４４Ａ（４４Ｂ）末端の導体２の露出部分がホルダー５０ｂと共にハウジング５０ａの胴部５２の反対側に突出した状態で支持される。また、同図に示すように、ホルダー５０ｂの裏面に形成されたフック６８がハウジング５０ａの胴部内底面に形成された係止穴５２ａに係合し、これによりハウジング５０ａからのホルダー５０ｂの脱落が前記ロック片５４と共に二重に防止される。
【００３８】
なお、コネクタＣ２２の前記ホルダー５０ｂには、図１３に示すように、前記ホルダー５０ｂの幅方向両側に係止部６０ａが突設されており、さらに、ホルダー５０ｂの裏面であって、その幅方向両端には前後方向（図１２（ａ）の左右方向）に延びる突状からなる一対のガイド６６が設けられている。
【００３９】
以上、ＣＤプレーヤー１４を例にコネクタＣ１４およびケーブル１５等の構成について説明したが、他のプレーヤー１６，１８のコネクタＣ１６，Ｃ１８やケーブル１７，１９等もＣＤプレーヤー１４のコネクタＣ１４およびケーブル１５と同一の構成とされている。また、メイン基板１２に搭載されるコネクタＣ１２についても、プレーヤー１４のコネクタＣ１４と同一構成のコネクタが実装されている。
【００４０】
上記のようなオーディオユニットを組立てるには、まずメイン基板１２、ＣＤプレーヤー１４、ＭＤプレーヤー１６およびＣＳプレーヤー１８を所定の順序で筐体１０内に固定し、各プレーヤー１４，１６，１８のケーブル１５，１７，１９を上側に隣設されるプレーヤー等に接続する。つまり、ＣＤプレーヤー１４のケーブル１５をメイン基板１２のコネクタＣ１２に、ＭＤプレーヤー１６のケーブル１７をＣＤプレーヤー１４のコネクタＣ１４に、ＣＳプレーヤー１８のケーブル１９をＭＤプレーヤー１６のコネクタＣ１６に夫々接続する。
【００４１】
例えば、ＭＤプレーヤー１６のケーブル１７をＣＤプレーヤー１４のコネクタＣ１４に接続する場合には、ケーブル１７の各コネクタＣ２２をコネクタＣ１４の各差込口２６Ａ，２６Ｂに対向させ、図４（ｂ）及び図１４（ａ）に示すように各コネクタＣ２２のホルダー５０ｂの突出部分をその先端から差込口２６Ａ，２６Ｂに夫々差込む。この際、ホルダー５０ｂの前記ガイド６６を差込口２６Ａ，２６Ｂに形成された案内溝２８に沿って案内しながコネクタＣ２２を差込口２６Ａ，２６Ｂに差込むようにする。
【００４２】
このようにすると、図５（ａ）及び図１４（ｂ）→図５（ｂ）及び図１４（ｃ）に示すように各コネクタＣ２２のハウジング５０ａ（胴部５２）がコネクタＣ１４のフード２７内に嵌合することとなる。また、コネクタＣ２２が差込まれるに伴い、ホルダー５０ｂに形成された係止部６０ａにコネクタＣ１４内の一対の係止片４０が押し広げられ、ホルダー５０ｂがコネクタＣ２２の奥端部まで挿入されると、ホルダー５０ｂの各係止部６０ａに各係止片４０のフック４０ａが夫々係合した状態となり、これによって各コネクタＣ２２がコネクタＣ１４に嵌合した状態でロックされることとなる。なお、ホルダー５０ｂの前記係止部６０ａは、基端部から先端部に向って先細りの平面視で略台形状に形成されており、従って、当該ロック状態は所謂セミロック状態であって、コネクタＣ２２を一定の力以上で引き抜き方向に引張ると、ロック状態を解除してコネクタＣ２２をコネクタＣ１４から取外すことができるようになっている。
【００４３】
そして、このようにコネクタＣ２２をコネクタＣ１４に嵌合させると、ケーブル１７の導体２の露出部分がホルダー５０ｂと共にコネクタＣ１４の接続部２１Ａ，２１Ｂ内に夫々差込まれ、ケーブル１７の各導体２に対して各端子２４の接続用撓み片２４ａが接触することとなる。そして、この接触により、ケーブル１７の各導体２が端子２４を介してＣＤプレーヤー１４の回路基板Ｐの回路に接続されるとともに、コネクタＣ１４の後面側に接続されている当該ＣＤプレーヤー１４のケーブル１５の各導体２とこのケーブル１７の各導体２のうち対応するもの同士が端子２４により中継接続されることとなる。
【００４４】
なお、当実施形態において各プレーヤー１４等に接続されているケーブル１５等には、図７に示すように、導体２として各分割片４４Ａ，４４Ｂに夫々広幅の導体２（図７では符号２′で示す）が夫々含まれている。これらの導体２′は、電源供給用の導体であって他の導体（導体２′以外の導体２）の三本分の幅寸法を有しており、共通の一の導体２′に対して３つの端子２４（すなわちコネクタＣ１４等に収納された各端子２４のうち幅方向に連続する３つの端子２４）が接触するように構成されている。すなわち、通常の独立した３本の導体２を電源供給用として使用することも勿論可能であるが、この場合、各導体２毎に電気抵抗が相違していると、端子２４毎に電圧がばらついて電源の安定供給が妨げられることが考えられる。これに対し、上記のように共通の広幅の導体２′に各端子２４を接触させるようにすれば、電気抵抗の相違による電圧のバラツキということがなく、より安定した電源供給が可能になるというメリットがある。
【００４５】
こうして上下に隣設される各プレーヤー等のコネクタにケーブル１５，１７，１９を夫々接続することにより、メイン基板１２に対して各プレーヤー１４，１６，１８を連鎖状に接続することができる。
【００４６】
ところで、上記のようなプレーヤー１４，１６，１８もこの種の一般的なプレーヤーと同様に、筐体１０内にプレーヤー１４等を組込みながらケーブル１５，１７，１９の接続を速やかに行い得るように、予め定められた経路に沿ってケーブル１５，１７，１９がケーシング１４０，１６０，１８０に夫々配索された状態で固定されるが、当実施形態の各プレーヤー１４，１６，１８では、各プレーヤー１４等の組立性向上の観点からケーシング１４０等に対するケーブル１５等の固定を従来のような両面テープを用いることなく行っている。以下、ＣＤプレーヤー１４を例に具体的に説明する。
【００４７】
すなわち、ＣＤプレーヤー１４には、図１に示すように、そのケーシング１４０の側面であってケーブル１５の配索経路上（当実施形態ではケーシング１４０の側面）に一対のフック１９０が並べて設けられている。これらのフック１９０は、図１１に示すように先端に押え部１９２を備えた略Ｌ字型の同一形状のフックであって、ケーシング１４０の側面に一体的に設けられている。当実施形態では、例えば、ケーシング１４０の側壁が金属板から形成されており、その側壁の一部が切り起こされることによりケーシング１４０にフック１９０が一体形成されている。
【００４８】
一方、図７及び図１０に示すように、ケーブル１５には、前記フック１９０に対応する一対の固定孔９０が形成されている。これらの固定孔９０は、ケーブル１５の上記デッドスペースであってケーブル１５をケーシング１４０に沿って配索したときに前記フック１９０に対応する位置に形成されており、その孔寸法（幅や長さ）は、フック１９０を圧入し得る程度に設定されている。
【００４９】
そして、図１及び図１５に示すように、ケーブル１５がケーシング１４０に沿ってその下面→側面→上面と導かれるとともに、ケーシング１４０等の前面側上部にコネクタＣ２２が位置するように配索され、この状態で、前記固定孔９０を介してケーブル１５がフック１９０に係止されることによりケーブル１５がケーシング１４０に対して固定されている。詳しくは、図１１に示すように、フック１９０の押え部１９２とケーシング１４０とによりケーブル１５を挟持した状態でケーブル１５がフック１９０を介してケーシング１４０に係止されている。
【００５０】
このようなケーブル１５の固定構造によれば、ケーブル１５を所定の経路に沿って配索し、ケーブル１５をフック１９０に押し付けて前記固定孔９０に該フック１９０を差込めば容易にケーブル１５をケーシング１４０に対して固定できる。そのため、両面テープでケーブルを固定する場合のようなテープの切り貼り、あるいはテープから台紙を剥離するといった面倒な作業が不要となり、その結果、ＣＤプレーヤー１４の組立性を向上させることができる。
【００５１】
なお、当実施形態では、さらにこのようなケーブル１５等の固定構造を利用してケーブル１５のシールド層３を車体に接地（アース）するようになっている。
【００５２】
詳しくは、上記ケーブル１５における各固定孔９０の側方（ケーブル長手方向における側方）であって、かつケーシング１４０への非接触面（図１０では上側面）には、被覆（外部シース）の一部が除去されることによりシールド層３の一部を外部に露出させたシールド露出部９２が設けられており、上述したようにケーブル１５をフック１９０に係止しすると、図１１に示すようにフック１９０の押え部１９２がシールド露出部９２に圧接し、その結果、ケーブル１５の導体３がフック１９０を介してケーシング１４０に短絡するように構成されている。
【００５３】
つまり、この実施形態にかかるオーディオシステムも一般的なこの種のオーディオシステムと同様にプレーヤー１４等をインパネ内に組付けると、ケーシング１４０、筐体１０及びその固定用ビス等を介して各プレーヤー１４等が車体にアースされるように構成されており、従って、上記のようにケーブル１５のシールド層３をフック１９０を介してケーシング１４０に短絡させることで、プレーヤー１４をインパネに組込むと各ケーブル１５，１７，１９のシールド層３が自ずと車体にアースされるようになっている。
【００５４】
このような構成によると、シールド層３を回路基板Ｐを経由することなく車体にアースすることができるため、シールド層３を回路基板Ｐに接続するための所謂ドレイン線が接続用電線（すなわち、ケーブル１５）において不要となる。そのため、ケーブル１５の製造に際して、該ドレイン線に対応する導体を省略することができ、さらにシールド層とドレイン線とをスポット溶接等により短絡させるといった二次加工が不要となる。従って、その分、ケーブル１５の製造コストを安価に抑えることができ、ＣＤプレーヤー１４の低廉化に寄与し得るようになるというメリットがある。
【００５５】
以上、ＣＤプレーヤー１４を例に説明したが、他のプレーヤー１６，１８も同様にしてケーブル１７，１９がケーシング１６０，１８０に固定されている。
【００５６】
なお、図１に示す例では、ケーブル１５等の配索経路上の一箇所（各プレーヤー１４等のケーシング１４０等の側面）にのみフック１９０を設けているが、より確実にケーブル１５を固定するために、配索経路上のより多くの箇所にフックを設けるようにしてもよい。また、フックの形状も実施形態（図１１参照）に限られるものではなく、例えば、弾性的にケーブル１５等を係止し得る板ばね状のフックであってもよい。要は、ケーブル１５等を適切に係止できればよい。
【００５７】
また、この実施形態では、ケーシング１４０等の側面（金属板）の一部を切り起こすことによりフック１９０を形成しているが、例えばケーシング１４０とフック１９０を別体に形成し、フック１９０を溶接等により後からケーシング１４０に固定するようにしてもよい。
【００５８】
また、この実施形態では、ケーブル１５等の固定構造を利用して（すなわちフック１９０を介して）ケーブル１５のシールド層３を車体に接地（アース）するように構成しているが、必ずしもこのような構成を採用する必要はなく、一般的なこの種のプレーヤーと同様にドレイン線を介してシールド層を回路基板に接続し、この回路基板を介してアースするように構成してもよい。この場合には、ケーブル１５においてシールド露出部９２を設ける必要はない。
【００５９】
また、この実施形態では、ケーブル１５等をコネクタＣ１４等に差込んでスライダ３２により固定することによって、回路基板Ｐに対してケーブル１５等を接続するようにしているが、勿論、ケーブル１５等を直接回路基板Ｐにはんだ付けすることによって接続するようにしてもよい。
【００６０】
なお、上記実施形態では、車載用オーディオユニットの各プレーヤー１４，１６，１８について本発明を適用しているが、本発明は、これ以外の電気モジュールにも適用可能である。
【００６１】
また、上記実施形態では、フラットケーブル１５，１７，１９により接続用電線が構成されているが、勿論、接続用電線としてリボン電線、ＦＰＣ（Flexible Printed Circuit）等、その他のフラット配線材からなる接続用電線を適用した電気モジュールについても本発明は適用可能である。
【００６２】
【発明の効果】
以上説明したように、本発明の電気モジュールは、ケーシングにフックを設け、接続用電線をその途中に形成した開口部を介して係止することによりケーシングに対して接続用電線を固定するように構成しているので、接続用電線の配索作業において従来のような面倒なテープの切り貼り作業等が不要となり、これにより電気モジュールの組立性を向上させることができる。
【００６３】
特に、接続用電線がシールド層を有し、接続用電線をフックに係止した状態で接続用電線のシールド層がフック及びケーシングを介して接地（アース）されるので、シールド層を接地するためのドレイン線が接続用電線において不要となる等、電気モジュールの低廉化に寄与することができる。
【図面の簡単な説明】
【図１】本発明に係るＣＤプレーヤー等（電気モジュール）が適用される車載用オーディオユニットを示す斜視図（筐体を含む図）である。
【図２】ＣＤプレーヤーの回路基板に実装されるコネクタと、このコネクタに接続されるフラットケーブル（フラット配線材）側のコネクタを示す斜視図である。
【図３】ＣＤプレーヤーの回路基板に実装されるコネクタと、このコネクタに接続されるフラットケーブル側のコネクタを示す分解斜視図である。
【図４】ＣＤプレーヤーの回路基板に実装されるコネクタと、このコネクタに接続されるフラットケーブル側のコネクタの構成を示す断面図である（（ａ）は両コネクタの嵌合前、（ｂ）は両コネクタの嵌合途中の状態である）。
【図５】ＣＤプレーヤーの回路基板に実装されるコネクタと、このコネクタに接続されるフラットケーブル側のコネクタの構成を示す断面図である（（ａ）は両コネクタの嵌合途中、（ｂ）は両コネクタの嵌合後の状態である）。
【図６】ＣＤプレーヤーの回路基板に実装されるコネクタと、このコネクタに接続されるフラットケーブル側のコネクタの構成を示す断面図である。
【図７】フラットケーブル（フラット配線材；接続用電線）の構成を示す平面図である。
【図８】フラットケーブル（フラット配線材；接続用電線）の構成を示す図７のＡ−Ａ断面図である。
【図９】フラットケーブル（フラット配線材；接続用電線）の構成を示す図７のＢ−Ｂ断面図である。
【図１０】フラットケーブル（フラット配線材；接続用電線）の構成を示す図７のＣ−Ｃ断面図である。
【図１１】フラットケーブル（フラット配線材；接続用電線）をケーシングに固定した状態を示す図１０に対応する図である。
【図１２】フラットケーブル側のコネクタの構成を示す断面図である（（ａ）はフラットケーブルへの挿着前（組立て前）、（ｂ）はフラットケーブルへの挿着後（組立て後）の図である）。
【図１３】フラットケーブル側のコネクタを構成するホルダーを示す図である。
【図１４】ＣＤプレーヤーの回路基板に実装されるコネクタと、このコネクタに接続されるフラットケーブル側のコネクタの構成を示す断面図である（（ａ）は図４（ｂ）に対応する図、（ｂ）は図５（ａ）に対応する図、（ｃ）は図５（ｂ）に対応する図である）。
【図１５】フラットケーブル（フラット配線材；接続用電線）をケーシングに固定した状態を示す図１の要部拡大図である。
【符号の説明】
２  導体
１０  筐体
１２  メイン基板
１４  ＣＤプレーヤー
１５，１７，１９  フラットケーブル；接続用電線
１６  ＭＤプレーヤー
１８  ＣＳプレーヤー
Ｃ１２，Ｃ１４，Ｃ１６，Ｃ１８，Ｃ２２  コネクタ
９０  固定孔
１９０  フック
１９２  押え部
Ｐ  回路基板
【図１】
0004248757.tif 000002
【図２】
0004248757.tif 000003
【図３】
0004248757.tif 000004
【図４】
0004248757.tif 000005
【図５】
0004248757.tif 000006
【図６】
0004248757.tif 000007
【図７】
0004248757.tif 000008
【図８】
0004248757.tif 000009
【図９】
0004248757.tif 000010
【図１０】
0004248757.tif 000011
【図１１】
0004248757.tif 000012
【図１２】
0004248757.tif 000013
【図１３】
0004248757.tif 000014
【図１４】
0004248757.tif 000015
【図１５】
0004248757.tif 000016